(57)【要約】  【課題】扉が閉まっている時に貯蔵室内と外気の二重シールを保ちながら収納容器全体をまんべんなく冷却する。  【解決手段】前面に開口部２を備え、開口部２を閉塞する引き出し式の扉４と、扉４に保持されたフレーム１２と、開口部２内壁面で、フレーム１２を摺動自在に支持するレール１４と、上部に開口し、フレーム１２内に保持された収納容器１３と、開口部２に内壁面から突出し、収納容器１３の左右側面と底面に当接するシール体１６を備え、シール体１６は扉４が閉状態の時に開口部２の奥または手前側に倒れる構成とされているので、扉４が閉まっている時に貯蔵室３内の風路をシール体１６により妨げることが無く、貯蔵室３内全体をまんべんなく冷却することができるため、冷却性能の高い冷蔵庫とすることができる。【選択図】図１
2009275963.tif 000002
【特許請求の範囲】
【請求項１】
前面に開口部を備えた貯蔵室と、前記貯蔵室内の空気を撹拌するファンと、前記開口部を閉塞する引出式の扉と、前記扉に保持されたフレームと、前記貯蔵室内壁面で、前記フレームを摺動自在に支持するレールと、上部に開口し前記フレーム内に保持された収納容器と、前記貯蔵室内壁面から突出し、前記収納容器の左右側面と底面のうち少なくとも１面に当接するシール体を備えた冷蔵庫において、前記扉が閉状態の時に前記ファンによる風が前記収納容器の前面まで流れることを特徴とした冷蔵庫。
【請求項２】
シール体は扉が閉状態の時に開口部の奥または手前に倒れることを特徴とした請求項１に記載の冷蔵庫。
【請求項３】
シール体は開口部の手前側に倒れ、倒れた時に扉に当接することを特徴とした請求項２に記載の冷蔵庫。
【請求項４】
開口部内壁面の左右側面及び底面から突出した左側面シール体、右側面シール体、底面シール体を備え、それぞれのシール体どうしは扉が閉状態で収納容器と当接した時に、重なり合うことを特徴とした請求項１から３のいずれか一項に記載の冷蔵庫。
【請求項５】
シール体は扉が最も開いた時に収納容器と当接することを特徴とした請求項２から４のいずれか一項に記載の冷蔵庫。
【請求項６】
シール体は扉の開閉動作時に収納容器と当接しない位置まで起きあがることを特徴とした請求項５に記載の冷蔵庫。
【請求項７】
シール体を脱着可能とした請求項１から６のいずれか一項に記載の冷蔵庫。
【請求項８】
シール体をブラシ状の材料で構成した請求項１から７のいずれか一項に記載の冷蔵庫。
【発明の詳細な説明】
【技術分野】
【０００１】
本発明は、引き出し式の扉を備えた貯蔵室内に保存されている保存物を取り出す際に、庫内の冷気が外部へ流出することを抑制して省エネルギー化を図る冷凍冷蔵庫に関するものである。
【背景技術】
【０００２】
冷蔵庫に省エネルギーが求められるようになって久しいが、現在でも省エネルギー競争は激しく、圧縮機の効率向上、断熱箱体の断熱性能向上などにより省エネルギーが図られている。そのような中、扉開閉時に庫内の冷気が外部に漏れるのを抑制した冷蔵庫が提案されている（特許文献１）。
【０００３】
以下、図面を参照しながら上記従来の冷蔵庫を説明する。
【０００４】
図９は従来の冷凍冷蔵庫の引き出しドア部の縦断面図であり、図１０は図９におけるＡ−Ａ線における断面図である。図９、図１０において、冷蔵庫本体１は、前面に開口部２を持つ冷蔵温度帯（０℃〜５℃程度）または冷凍温度帯（−２０℃〜−１℃程度）の貯蔵室３、開口部２を閉塞する扉４及び貯蔵室３の奥に冷却室５を備えている。
【０００５】
貯蔵室３と冷却室５は、吸い込み口６及び吹き出し口７を備えたカバー８により仕切られており、冷却室５の内部には冷却システム（図示せず）の一部である冷却器９及びファン１０を備えている。この冷却システムは、例えば圧縮機（図示せず）、凝縮器（図示せず）、減圧器（図示せず）、冷却器９から構成され、内部に冷媒を循環させることにより冷却器９で液冷媒の蒸発気化熱によって周囲の空気を冷却する。そして、ファン１０により冷気を貯蔵室３内全体に循環させることにより貯蔵室３内を冷却する。
【０００６】
扉４は貯蔵室３側の外縁にガスケット１１を備えており、ガスケット１１の内側左右に貯蔵室３側に伸びた棒状のフレーム１２を備えている。また、フレーム１２の内側には、上部に開口部を有した収納容器１３を備えており、被冷却物を収納する。
【０００７】
貯蔵室３内部には、左右にレール１４を備えており、レール１４内をフレーム１２が前後に摺動することにより扉３を引き出し式とし、扉３が最も開口部２側に移動した時に、ガスケット１１と開口部２が密着することにより開口部２を閉塞する。
【０００８】
また、貯蔵室３内部には、左右及び下面から突出して収納容器１３と弾力的に当接する軟質材からなるシール体１５を備えている。また、このシール体１５は、扉４が閉じている時も、開いている時も収納容器１３に当接しているため、扉４を閉じている時はガスケット１１との二重シールで庫内への熱の侵入を防ぐことにより貯蔵室３の温度上昇を抑制することができる。そして扉４を開いている時はシール体１５と収納容器１３が当接していることにより、貯蔵室３内でシール体１５より開口部２側と冷却室５側が遮断される。これにより、貯蔵室３内の冷気が外部に漏れることはなく、貯蔵室３内の温度上昇を抑制することができる。
【０００９】
従って、扉を閉じている時も開いている時も庫内温度の上昇を抑制でき、消費電力量を低減することができる。
【特許文献１】特開２００５−４８９７８号公報
【発明の開示】
【発明が解決しようとする課題】
【００１０】
しかしながら、上記従来の構成では、扉４を開いた状態においても貯蔵室３内のシール体１５より開口部２側と冷却室９側が遮断されているため、シール体１５より開口部２側にはファン１０による冷却風が流れない。従って、シール体１５より開口部２側の空間は貯蔵室３の他の空間よりも温度が高くなり、被冷却物を十分に冷却できない恐れがあった。
【００１１】
本発明は、上記従来の課題を解決するもので、扉４を閉じた状態でも貯蔵室３のシール体１５よりも開口部２側の空間に冷却風を流すことにより貯蔵室３内の温度分布を均一にする冷蔵庫を提供することを目的とする。
【００１２】
また、上記従来の構成では、シール体１５と収納容器１３が常に当接しているため、扉４の開閉動作でシール体１５と収納容器１３が摺動し、摺動音が発生し、使用者に不快感を与える恐れがあった。
【００１３】
本発明の他の目的は、シール体１５と収納容器１３を扉４が開いた時のみ当接させることにより、使用者の扉２の開閉音に伴う不快感を低減することでより品位の高い冷蔵庫を提供することである。
【課題を解決するための手段】
【００１４】
上記従来の課題を解決するために、本発明の冷凍冷蔵庫は、前面に開口部を備えた貯蔵室と、貯蔵室内の空気を撹拌するファンと、開口部を閉塞する引出式の扉と、扉に保持されたフレームと、貯蔵室内壁面で、フレームを摺動自在に支持するレールと、上部に開口しフレーム内に保持された収納容器と、貯蔵室内壁面から突出し、収納容器の左右側面と底面のうち少なくとも１面に当接するシール体を備えた冷蔵庫において、扉が閉状態の時にファンによる風が収納容器の前面まで流れるように構成されている。
【００１５】
これによって、扉が閉まっている時に収納容器前面まで冷却風が流れることにより、貯蔵室内全体をまんべんなく冷却することができる。
【００１６】
また、本発明の冷凍冷蔵庫は、シール体は扉が閉状態の時に開口部の奥または手前に倒れるように構成されている。
【００１７】
これによって、特別な風路などを構成せずにファンによる冷却風を収納容器前面に流すことができ、簡単な構成で貯蔵室内全体をまんべんなく冷却することができる。
【００１８】
また、本発明の冷凍冷蔵庫は、シール体は開口部の手前側に倒れ、倒れた時に扉に当接するように構成されている。
【００１９】
これによって、扉が閉まっている時にガスケットに加えてシール体が扉と当接することにより外気とのシールをすることができ、二重シールとすることにより断熱性能を向上させることができる。
【００２０】
また、本発明の冷凍冷蔵庫は、開口部内壁面の左右側面及び底面から突出したシール体を備え、それぞれのシール体どうしは扉が閉状態で収納容器と当接した時に、端部が重なり合うように構成されている。
【００２１】
これによって、扉が開いた時にシール体とシール体の間にすき間が生じるのを防ぐことができ、冷気の漏れを防止し、断熱性能を向上させることができる。
【００２２】
また、本発明の冷凍冷蔵庫は、シール体は扉が最も開いた時に収納容器と当接するように構成されている。
【００２３】
これによって、シール体は扉が開くまでは収納容器と摺動することがなく、摺動音を無くすことができる。
【００２４】
また、本発明の冷凍冷蔵庫は、シール体は扉の開閉動作時に収納容器と当接しない位置まで起きあがるように構成されている。
【００２５】
これによって、扉の開閉動作時にも貯蔵室と収納容器のすき間を小さくでき、庫内の冷気の外気への漏れを抑制することができる。
【００２６】
また、本発明の冷凍冷蔵庫は、シール体を脱着可能に構成されている。
【００２７】
これによって、シール体が汚れた際には取り外して掃除したり取り替えたりすることができる。
【００２８】
また、本発明の冷凍冷蔵庫は、シール体がブラシ状の材料で構成されている。
【００２９】
これによって、シール体が切れたり破れたりすることはなく、簡単な構造でシール体の寿命を長くすることができる。
【発明の効果】
【００３０】
本発明の冷凍冷蔵庫は、扉を閉めた際にも貯蔵室内をまんべんなく冷却することができ、貯蔵室の温度を均一にすることができる。
【発明を実施するための最良の形態】
【００３１】
請求項１に記載の冷凍冷蔵庫は、前面に開口部を備えた貯蔵室と、貯蔵室内の空気を撹拌するファンと、開口部を閉塞する引出式の扉と、扉に保持されたフレームと、貯蔵室内壁面で、フレームを摺動自在に支持するレールと、上部に開口しフレーム内に保持された収納容器と、貯蔵室内壁面から突出し、収納容器の左右側面と底面のうち少なくとも１面に当接するシール体を備えた冷蔵庫において、扉が閉状態の時にファンによる風が収納容器の前面まで流れる構成とされているので、扉が閉まっている時に収納容器前面まで冷却風が流れることにより、貯蔵室内全体をまんべんなく冷却することができるため、冷却性能の高い冷蔵庫とすることができる。
【００３２】
請求項２に記載の冷凍冷蔵庫は、シール体は扉が閉状態の時に開口部の奥または手前に倒れる構成とされているので、特別な風路などを構成せずにファンによる冷却風を収納容器前面に流すことができ、簡単な構成で貯蔵室内全体をまんべんなく冷却することができるため、安価で冷却性能の高い冷蔵庫とすることができる。
【００３３】
請求項３に記載の冷凍冷蔵庫は、シール体は開口部の手前側に倒れ、倒れた時に扉に当接する構成とされているので、扉が閉まっている時にガスケットに加えてシール体が扉と当接することにより外気とのシールをすることができ、二重シールとすることにより断熱性能を向上させることができるため、効率の高い冷蔵庫とすることができる。
【００３４】
請求項４に記載の冷凍冷蔵庫は、開口部内壁面の左右側面及び底面から突出したシール体を備え、それぞれのシール体どうしは扉が閉状態で収納容器と当接した時に、端部が重なり合う構成とされているので、扉が開いた時にシール体とシール体の間にすき間が生じるのを防ぐことができ、冷気の漏れを防止し、断熱性能を向上させることができるため、効率の高い冷蔵庫とすることができる。
【００３５】
請求項５に記載の冷凍冷蔵庫は、シール体は扉が最も開いた時に収納容器と当接する構成とされているので、シール体は扉が開くまでは収納容器と摺動することがなく、摺動音を無くすことができるため、使用者の扉の開閉音に伴う不快感を低減することで、より品位の高い冷蔵庫とすることができる。
【００３６】
請求項６に記載の冷蔵庫は、シール体は扉の開閉動作時に収納容器と当接しない位置まで起きあがる構成とされているので、扉の開閉動作時にも貯蔵室と収納容器のすき間を小さくでき、庫内の冷気の外気への漏れを抑制することができるため、効率の高い冷蔵庫とすることができる。
【００３７】
請求項７に記載の冷蔵庫は、シール体を脱着可能とした構成とされているので、シール体が汚れた際には取り外して掃除したり取り替えたりすることができるため、メンテナンス性の高い冷凍冷蔵庫とすることができる。
【００３８】
請求項８に記載の冷蔵庫は、シール体がブラシ状の材料で構成されているので、シール体が切れたり破れたりすることはなく、簡単な構造でシール体の寿命を長くすることができるため、長期信頼性の高い冷蔵庫とすることができる。
【００３９】
以下、本発明の実施の形態について、図面を参照しながら説明する。なお、この実施の形態によってこの発明が限定されるものではない。
【００４０】
また、従来と同一構成についてはその動作、作用は同様であり、説明を省略する。
【００４１】
（実施の形態１）
図１は本発明の実施の形態１による冷凍冷蔵庫の扉を閉めた状態の縦断面図であり、図２は同実施の形態の扉を閉めた状態のＢ−Ｂ線断面図である。図３は同実施の形態の扉を開けた状態の縦断面図であり、図４は同実施の形態の扉を開けた状態のＣ−Ｃ線断面図である。また図５は同実施の形態の扉を閉めた状態のシール体近傍の縦断面図、図６は同実施の形態の扉を開閉途中の状態のシール体近傍の縦断面図、図７は同実施の形態の扉を開いた状態のシール体近傍の縦断面図、図８は同実施の形態の扉が開いている時のシール体どうしが重なった部分の正面図である。
【００４２】
図１から図８において、貯蔵室３内部には左右側面及び底面の開口部２近傍にブラシ状の素材で構成されたシール体１６が取り付けられている。
【００４３】
シール体１６は、略板状のマウント１７、鉄などの磁性体材料で構成されたコの字型のベース１８、ベース１８に埋め込まれた、例えばナイロン性のブラシ１９、シャフト２０及びトーションばねであるスプリング２１とから構成されており、マウント１７とベース１８はシャフト２０により開口部２側に倒れた状態（０度）から貯蔵室３の壁面に垂直となる状態（９０度）まで回動自在となるように軸支されている。また、マウント１７とベース１８は、スプリング２１により貯蔵室３に取り付けられた時に取り付けた壁面に対して９０度以下の角度を保持するように付勢されている。この時シール体１６と収納容器１３の間には５ｍｍ程度のすき間が生じるようになっている。
【００４４】
マウント１７には、断面形状が矢印状の取り付け部２２を、貯蔵室３には断面形状が台形状の溝２３を備えており、取り付け部２２を溝２３に差し込むことにより、貯蔵室３壁面にシール体１６を脱着自在に取り付けている。
【００４５】
収納容器１３の左右の４辺には、永久磁石２４を備えており、扉４が全開になった時にシール体１６近傍に位置し、ベース１８を引きつけることによりシール体１６と収納容器１３を当接させる。
【００４６】
また扉４の貯蔵室４側の外縁には磁石を内蔵したガスケット２５を備えており、扉４が閉まった時にスプリング２１の付勢に打ち勝ってベース１８を開口部２側へ倒すことによりシール体１６と扉４とを当接させる。
【００４７】
以上のように構成された冷凍冷蔵庫について、以下その動作を説明する。
【００４８】
冷凍冷蔵庫運転中、冷却器５が生成した冷気をファン１０で貯蔵室３内を循環させることにより、貯蔵室３内を冷却する。
【００４９】
まず扉４が閉じている場合（図５、実線１８ａの状態）について説明する。扉４が閉じている状態では、ガスケット２５内の磁石の吸引力によってベース１８が扉４側に倒れ、扉４と当接する。この時外気と貯蔵室４内はガスケット１１とシール体１６によってシールされている状態となり、二重シールとすることができる。これは、従来の冷凍冷蔵庫において、シール体１５が収納容器１３と当接していた時と比べ、収納容器１３の前面が貯蔵室３内と遮断されることがない。
【００５０】
これにより、外気と貯蔵室３内を二重シールで断熱強化しつつ収納容器１３の前面までファン１０による冷却風をまんべんなく流すことができ、貯蔵室３内の温度を均一にすることができる。従って、冷却性能の高い冷凍冷蔵庫とすることができる。
【００５１】
次に、扉４が全開の場合（図７、実線１８ｂの状態）について説明する。扉４が全開の状態では、永久磁石２５の吸引力により、シール体１６は９０度の角度となり、収納容器１３と当接する。
【００５２】
これにより、扉４が開いている状態においても貯蔵室３内と外気はシール体１６によって遮断されているので、扉４が開いた状態において、貯蔵室３内の冷気が外に漏れるのを防止できる。従って、貯蔵室３内の温度上昇を抑制でき、効率の高い冷凍冷蔵庫とすることができる。
【００５３】
次に、扉４の開閉途中の動作（図６、実線１８の状態）について説明する。扉４が開動作の時または閉動作の時、ベース１８は永久磁石２４またはガスケット２５によってどちらかに吸引されることはない。この状態で、ベース１８は、スプリング２１により付勢され、９０度以下の角度αを保持するように付勢されている。この時シール体１６と収納容器１３の間には５ｍｍ程度のすき間が生じるようになっている。一般的に、静止物と可動物の間に５ｍｍ程度のすき間があれば、可動物を静止物に接触させずに動作させることが可能である。
【００５４】
これにより、扉４の動作中にシール体１６と収納容器１３が接触、摺動することによる音の発生を防ぐことができるとともに、シール体１６が起きあがっていることにより、貯蔵室３と収納容器１３の間からの冷気の漏れを抑制することができる。従って、貯蔵室３内の温度上昇を抑制でき、効率の高い冷凍冷蔵庫とすることができる。
【００５５】
また、本実施の形態においては、シール体１６が左右側面と底面の３つに分割されているが、扉４が開いた状態の時、その接続部は図６に示すように重なっている。
【００５６】
これにより、シール体１６が３つに分割されていることによりそのすき間から冷気が漏れることはない。従って、貯蔵室３内の温度上昇を抑制でき、効率の高い冷凍冷蔵庫とすることができる。
【００５７】
また、本実施の形態においては、シール体１６はマウント１７の矢印状の取り付け部２２を貯蔵室３の台形状の溝２３に差し込むことにより脱着自在としている。
【００５８】
これにより、シール体１６は使用者が簡単に取り外すことができ、掃除、取り替えなどを簡単にすることができる。従って、メンテナンス性の高い冷凍冷蔵庫とすることができる。
【００５９】
また、本実施の形態においては、シール体１６の、収納容器１３と当接する部分をブラシ１９で構成している。
【００６０】
これにより、従来のように軟質材１枚で構成した場合に比べて、シール体が切れたり破れたりすることが無い。従って、長期信頼性の高い冷凍冷蔵庫とすることができる。
【００６１】
またこれにより、収納容器１３に凹凸があった場合にもシール体１６と収納容器１３のすき間を最小にすることができ、すき間からの漏れを抑制することができる。従って、貯蔵室３内の温度上昇を抑制でき、効率の高い冷凍冷蔵庫とすることができる。
【００６２】
尚、本実施の形態において、シール体１６と収納容器１３のすき間は５ｍｍ程度としたが、寸法精度を高め、さらにすき間を小さくすることで、すき間から漏れる冷気を抑制でき、さらに効率の高い冷凍冷蔵庫とすることができる。
【００６３】
また、本実施の形態において、シール体１６を扉４及び収納容器１３に当接させる手段は磁石を用いたが、シール体１６の動作を電動として扉４の開閉によってスイッチを入れる方法や、フレーム１２の動きに連動してギアなどでシール体１６を動作させるなど、どのような方法を使用しても同様の効果が得られる。
【００６４】
また、本実施の形態においては、シール体１６は左右側面及び底面の３面としたが、天面にもシール体を設け、扉４が開いた時に収納容器１３の奥面の上辺と当接する構成とすることにより、さらに効率の高い冷凍冷蔵庫とすることができる。
【００６５】
また、本実施の形態においては、シール体１６は取り付け部２２を溝２３に差し込むことにより固定したが、マウント１７側に溝を付けて貯蔵室３側に突起を設けて差し込んだり、ねじ止めをしたり、使用者が簡単に取り外せる構成とすれば同様の効果が得られる。
【００６６】
また、本実施の形態においては、ブラシ１９を収納容器１３と当接させることにより、収納容器１３の凹凸があってもすき間を作らない構成としたが、収納容器１３の外表面を、凹凸のない構成とすることにより、さらにシール性を良くすることができ、さらに効率の高い冷凍冷蔵庫とすることができる。
【産業上の利用可能性】
【００６７】
以上のように、本発明にかかる冷蔵庫は、引き出し式の扉により貯蔵室の開口部を開閉する機器であれば、冷却、加温にかかわらず、シール性を必要とする収納機器にも適用することができる。
【図面の簡単な説明】
【００６８】
【図１】本発明の実施の形態１による冷蔵庫の扉を閉めた状態の縦断面図
【図２】本発明の実施の形態１における扉を閉めた状態のＢ−Ｂ線断面図
【図３】本発明の実施の形態１における冷蔵庫の扉を開けた状態の縦断面図
【図４】本発明の実施の形態１における冷蔵庫の扉を開けた状態のＣ−Ｃ線断面図
【図５】本発明の実施の形態１における扉閉状態の冷蔵庫のシール体近傍の縦断面図
【図６】本発明の実施の形態１における扉開閉途中状態の冷蔵庫のシール体近傍の縦断面図
【図７】本発明の実施の形態１における扉開状態の冷蔵庫のシール体近傍の縦断面図
【図８】本発明の実施の形態１における冷凍冷蔵庫の扉が開いている時のシール体どうしが重なった部分の正面図
【図９】従来の冷凍冷蔵庫の引き出しドア部の縦断面図
【図１０】従来の冷凍冷蔵庫のＡ−Ａ線における断面図
【符号の説明】
【００６９】
１    冷凍冷蔵庫
２    開口部
４    扉
１０  ファン
１２  フレーム
１３  収納容器
１４  レール
１６  シール体
１９  ブラシ
【図１】
2009275963.tif 000003
【図２】
2009275963.tif 000004
【図３】
2009275963.tif 000005
【図４】
2009275963.tif 000006
【図５】
2009275963.tif 000007
【図６】
2009275963.tif 000008
【図７】
2009275963.tif 000009
【図８】
2009275963.tif 000010
【図９】
2009275963.tif 000011
【図１０】
2009275963.tif 000012